(57)【要約】  【課題】  メダル供給部から払い出すメダルを遊技機のメダル投入口へ搬送するメダル移送装置をメダル貸機に組み込む場合、メダル貸機の小型化を図るために、メダル移送装置の中のメダルを送出する送出装置からメダルを上方へ搬送するリフト装置までのメダル通路を直線的とせず、メダル送出装置から送出するメダル通路と、このメダルをリフト装置へ導入するメダル通路とを交差させ、その交差部でのメダル飛び出しとこの部分の部材の磨耗を防止して正確なメダル移動を達成する。  【解決手段】  メダル送出装置から送出されるメダルの移動方向と回転作動部材によってリフト装置の下部の入口部へ送りこまれるメダルの移動方向とを交差状態に配置し、この交差部の内側に、メダルよりも十分硬くメダルとの接触によって磨耗し難い金属、セラミックス等で構成したメダル飛び出し防止部材を設ける。【選択図】    図１０
2006296474.tif 000002
【特許請求の範囲】
【請求項１】
紙幣や有価カード等の挿入によって遊技メダル供給部から供給される所定枚数の遊技メダルを受け入れるメダル収容部と、このメダル収容部の底部に設けられて遊技メダルを１枚ずつ略水平状態で送出する送出装置と、この送出装置から送出された遊技メダルを上方へ搬送するリフト装置と、前記リフト装置にて搬送されたメダルを遊技機の前面に設けたメダル投入部へ導入するメダル案内シュートを備えた電動機装置によって駆動されるメダル移送装置において、前記送出装置から送出されるメダルの移動方向（メダル送出通路ＭＨＨと称する）と前記回転作動部材によって前記リフト装置の下部の入口部へ送りこまれるメダルの移動方向（メダルリフトアップ通路ＭＨ）とが交差配置され、この交差部に前記送出装置から送出される遊技メダルを湾曲通路に沿って立った状態に転換しつつ前記リフト装置に導入する回転作動部材を設け、前記交差部の内側にメダル飛び出し防止部材を設け、このメダル飛び出し防止部材を遊技メダルよりも十分硬く遊技メダルとの接触によって磨耗し難い金属、セラミックス等で構成したことを特徴とするメダル移送装置。
【請求項２】
前記メダル飛び出し防止部材を遊技メダルのビッカース硬度の２．５倍以上のビッカース硬度の材料としたことを特徴とする請求項1に記載のメダル移送装置。
【請求項３】
前記メダル飛び出し防止部材をビッカース硬度が５００以上の材料としたことを特徴とする請求項1又は２に記載のメダル移送装置。
【請求項４】
前記回転作動部材を前記メダル飛び出し防止部材と同様の材質としたことを特徴とする請求項１乃至３のいずれかに記載のメダル移送装置。
【請求項５】
請求項1乃至請求項４のいずれかに記載のメダル移送装置を組み込んだ遊戯メダル貸機。
【発明の詳細な説明】
【技術分野】
【０００１】
本発明は、メダル収容部のメダルをリフト装置とメダル案内シュートを通って遊技機の前面に設けたメダル投入部へ１枚ずつ導入するよう電動機装置によって駆動されるメダル移送装置に関する。
【背景技術】
【０００２】
先行技術として、パチスロ機において、１回の遊技を行うために必要な１〜３枚の遊技メダルを１回の遊技ごとにメダル投入口へ投入するか、複数回の遊技に必要な枚数のメダルをまとめてメダル投入口へ投入するかによって、遊戯を行う場合はメダル投入という面倒さが付きまとうが、これを解決するために、パチスロ機から払い出されるメダルを受けるメダルカップ内のメダルを自動的にメダル投入口へメダルリフターによって搬送して連続して遊技ができるようにしたものがある（例えば、特許文献１参照）。
【０００３】
この特許文献１のものは、メダル払い出し口から払い出される遊技メダルを集めるメダルカップ内の所定箇所から遊技メダルを取り出して１枚ずつ送給するメダル取り出し機構部と、上下端部がメダル投入部とメダルカップにそれぞれ近接配置されてメダル取り出し機構部から送られる遊技メダルを複数のメダル受け部に順次取り込んで保持しながら上方へ移送するメダルリフターと、このメダルリフターの上端まで移送された遊技メダルをメダル投入部へ導くシュータ部と、メダル投入部へ投入された遊技メダルを検出するメダル検出センサを備えた構成がパチスロ機の中に設けられるタイプである。
【特許文献１】特開２００１−３４６９３８号公報
【発明の開示】
【発明が解決しようとする課題】
【０００４】
このように、特許文献１のものは、パチスロ機内に、上記のメダル取り出し機構部と、メダルリフターと、シュータ部と、メダル検出センサを備えた構成であるため、遊技者が挿入した紙幣の真偽識別部と、この紙幣の受領によって払い出される遊技メダルと入賞時に払い出す遊技メダルの多数を予め収納しておくホッパーと、このホッパー内の遊技メダルを払い出す払い出し機構とを、パチスロ機の中に組み込んでおくタイプである。このため、これらのすべての機構を組み込んだパチスロ機を複数設置して遊技施設を構成する場合には適するが、パチスロ機自体を大幅に改良しなければならない。このため、パチスロ機自体ではメダル投入口に投入されたメダルによって遊技が行われるが、遊技者が紙幣を挿入して遊技メダルを購入するのは、パチスロ機に隣接配置した遊技メダル貸機にて行うようにしたタイプに係る技術ではない。
【０００５】
本発明は、パチスロ機のような遊技機に隣接配置した遊技メダル貸機に遊技者が紙幣等を挿入して、遊技メダル供給部から遊技メダルの払い出しを受け、この払い出されたメダルを自動的に遊技機のメダル投入口へ搬送するメダル移送装置を遊技メダル貸機に組み込み可能とするものである。その場合、遊技メダル貸機の小型化を図るために、メダル移送装置の中のメダルを１枚ずつ送出するメダル送出装置からメダルを上方へ搬送するリフト装置へのメダル通路を直線的に形成できない場合が生じ、メダル通路が屈曲する構成となる場合がある。その場合、この屈曲した通路部分にメダルが衝突して、この部分の合成樹脂部材が磨耗した場合は、正確なメダル移動ができず、メダル詰まりの原因となる。
【０００６】
本発明は、メダル送出装置から送出されるメダルの通路と、このメダルを上方へ搬送するリフト装置へ導入するメダルの通路とが交差するようにして、小型化を図るようにすると共に、メダル送出装置から送出されるメダルをリフト装置へ安定導入するために、この交差部にメダル導入装置を設ける。その場合、この導入装置の動作も関係して、この交差通路部分でのメダルの動きが複雑になった場合にも、メダルの飛び出しが防止でき、安定したメダル搬送ができる通路形成を達成するものである。
【０００７】
本発明において、薄片とは、紙幣を含むことは勿論のこと、プリペイドカードやその他のカードであって、遊技メダルの供給を受けることができる有価カードを含めた総称であり、紙幣やカードの材質は問わない。
【課題を解決するための手段】
【０００８】
第１発明のメダル移送装置は、紙幣や有価カード等の挿入によって遊技メダル供給部から供給される所定枚数の遊技メダルを受け入れるメダル収容部と、このメダル収容部の底部に設けられて遊技メダルを１枚ずつ略水平状態で送出する送出装置と、この送出装置から送出された遊技メダルを上方へ搬送するリフト装置と、前記リフト装置にて搬送されたメダルを遊技機の前面に設けたメダル投入部へ導入するメダル案内シュートを備えた電動機装置によって駆動されるメダル移送装置において、前記送出装置から送出されるメダルの移動方向（メダル送出通路ＭＨＨと称する）と前記回転作動部材によって前記リフト装置の下部の入口部へ送りこまれるメダルの移動方向（メダルリフトアップ通路ＭＨ）とが交差配置され、この交差部に前記送出装置から送出される遊技メダルを湾曲通路に沿って立った状態に転換しつつ前記リフト装置に導入する回転作動部材を設け、前記交差部の内側にメダル飛び出し防止部材を設け、このメダル飛び出し防止部材を遊技メダルよりも十分硬く遊技メダルとの接触によって磨耗し難い金属、セラミックス等で構成したことを特徴とする。
【０００９】
第２発明は、第１発明において、前記メダル飛び出し防止部材を遊技メダルのビッカース硬度の２．５倍以上のビッカース硬度の材料としたことを特徴とする。
【００１０】
第３発明は、第１発明又は第２発明において、前記メダル飛び出し防止部材をビッカース硬度が５００以上の材料としたことを特徴とする。
【００１１】
第４発明は、第１発明乃至第３発明のいずれかにおいて、前記回転作動部材を前記メダル飛び出し防止部材と同様の材質としたことを特徴とする。
【００１２】
第５発明は、第１発明乃至第４発明のいずれかに記載のメダル移送装置を組み込んだ遊戯メダル貸機。
【発明の効果】
【００１３】
第１の発明では、遊技メダル貸機の小型化を図るために、メダル移送装置の中のメダルを１枚ずつ送出するメダル送出装置からメダルを上方へ搬送するリフト装置へのメダル通路が、直線的でなく屈曲して交差状態であっても、この交差部に、送出装置から送出される遊技メダルを湾曲通路に沿って立った状態に転換しつつリフト装置に導入する回転作動部材を設けるため、リフト装置へのメダル導入が安定したものとなる。そして、交差部の内側にメダル飛び出し防止部材を設けることによって、その交差部におけるメダルの飛び出しが防止できると共に、メダルの衝突による変形を抑制して、多数のメダルを安定して高速処理するメダル移送装置が達成でき、故障が少なく、修理やメンテナンスに至るまでの期間を長くすることができるものとなり、営業損失も少なくできる効果を奏する。
【００１４】
第２の発明では、第１発明の効果に加えて、メダルの磨耗に比してメダル飛び出し防止部材の磨耗が極めて少なくなるため、メダル飛び出し防止部材の磨耗に起因するメダル詰まりが少なくなり、安定稼動ができるものとなる。
【００１５】
第３の発明は、第１発明および第２発明の効果に加えて、メダルの磨耗に比してメダル飛び出し防止部材の磨耗が極めて少なくなるため、メダル飛び出し防止部材の磨耗に起因するメダル詰まりが少なくなり、安定稼動ができるものとなり、約４５００万枚のメダルの移送に対しても適応可能となり、修理やメンテナンスに至るまでの期間を長くすることができるものとなる。
【００１６】
第４の発明は、第１発明乃至３発明の効果に加えて、交差部に配置された回転作動部材の耐久性が確保できるため、送出装置から送出される遊技メダルを安定してリフト装置に導入することができ、多数のメダルを高速で移送できるメダル移送装置となる。
【００１７】
第５の発明は、第１発明乃至４発明の効果を奏するメダル移送装置を組み込んだ新規な遊戯メダル貸機を提供できるものとなる。
【発明を実施するための最良の形態】
【００１８】
本発明のメダル移送装置は、紙幣や有価カード等の挿入によって遊技メダル供給部から供給される所定枚数の遊技メダルを受け入れるメダル収容部と、このメダル収容部の底部に設けられて遊技メダルを１枚ずつ略水平状態で送出する送出装置と、この送出装置から送出された遊技メダルを上方へ搬送するリフト装置と、前記リフト装置にて搬送されたメダルを遊技機の前面に設けたメダル投入部へ導入するメダル案内シュートを備えた電動機装置によって駆動されるメダル移送装置において、前記送出装置から送出されるメダルの移動方向（メダル送出通路ＭＨＨと称する）と前記回転作動部材によって前記リフト装置の下部の入口部へ送りこまれるメダルの移動方向（メダルリフトアップ通路ＭＨ）とが交差配置され、この交差部に前記送出装置から送出される遊技メダルを湾曲通路に沿って立った状態に転換しつつ前記リフト装置に導入する回転作動部材を設け、前記交差部の内側にメダル飛び出し防止部材を設け、このメダル飛び出し防止部材を遊技メダルよりも十分硬く遊技メダルとの接触によって磨耗し難い金属、セラミックス等で構成したものであり、本発明の実施例を以下に記載する。
【実施例１】
【００１９】
次に、薄片をその代表的な紙幣で表した本発明の実施の形態について説明する。図１は本発明に係る遊技メダル貸機と遊技機の併設状態を示す正面図、図２は本発明に係るメダル移送装置が遊技メダル貸機に組み込まれた状態を説明する正面斜視図、図３は両島タイプの遊技装置における搬送装置の配置平面図、図４は搬送ユニットを接続した状態の正面図、図５は本発明に係るメダル移送装置の構造を示す縦断側面図、図６は本発明に係るメダル移送装置と遊技機との関係を示す側面図、図７は本発明に係るメダル移送装置のメダル収容部を取外した状態の上面斜視図、図８は本発明に係るメダル移送装置のメダル導入装置がメダルを押し上げる前の状態を示す斜視図、図９は本発明に係るメダル移送装置のメダル導入装置がメダルを押し上げ始める状態を示す斜視図、図１０は本発明に係るメダル移送装置のメダル導入装置がメダルを押し上げてリフト装置へ導入した状態を示す斜視図、図１１は本発明に係るメダル移送装置の構成を示す横断平面図、図１２は本発明に係るメダル移送装置のメダルの導入部と導入装置との関係を一部断面で示す右側面図、図１３は本発明に係るメダル送出装置の払い出し盤部分の縦断側面図、図１４は本発明に係るメダル移送装置のメダル収容部に設けたメダル残留防止装置の縦断面図、図１５は本発明に係るメダル移送装置のメダル収容部に設けたメダル残留防止装置の上面斜視図、図１６は本発明に係るメダル移送装置の電動機装置の伝達装置の説明図、図１７は本発明に係るメダル移送装置のメダル方向転換部の上面斜視図、図１８は本発明に係るメダル移送装置のメダル方向転換部の上面図、図１９は本発明に係るメダル案内シュート部分の斜視図、図２０は本発明に係るメダル案内シュートの位置決め装置の構成を示す断面図である。
【００２０】
本発明の実施の形態を図に基づき説明する。１は遊技機であり、スロットマシンや、パチンコ機能とスロットマシン機能との併合であるパチスロ機等の遊技機を示す。遊技機１がパチスロ機の場合は、メダル投入口２５に遊技に必要な最低１枚のメダル２００が投入された状態において、スタートレバー１Ａを操作することにより、３個のリール１Ｃが回転する。この状態でタイミングを見て３個のストップボタン１Ｂを押すことにより、リール１Ｃが順次停止し、表面に表示された各リール１Ｃの図柄や数字の組み合わせに応じて入賞メダルが、払い出し口からメダル受け皿１Ｄに払い出される仕組みである。
【００２１】
２は遊技機１に併設される遊技メダル貸機である。遊技メダル貸機２は、遊技メダル２００の供給を受けるために挿入された紙幣や有価カード等の薄片１００の識別機能を有する薄片識別装置１０と、紙幣や有価カード等の薄片１００の挿入によって所定枚数の遊技メダル２００を供給する遊技メダル供給部２０と、この供給された遊技メダル２００を遊技機１のメダル挿入部２５へ搬送するためのメダル移送装置３００とを備えている。遊技メダル貸機２は、単に貸機と称する場合があり、また、遊技機１相互間に配置されるため台間貸機とも称する。複数の遊技機１の横に隣接するようにそれぞれ貸機２が遊技機１に併設配置され、この形態は一つの島を形成する状態であるため、これを遊技装置の島と称している。遊技機１と貸機２は、遊技装置の島の外観形成を整えるために略同一高さに形成されている。
【００２２】
有価カードとしては、プリペイドカード、その他のカード等の如くカードに貨幣価値が記憶されたものであり、このカードを薄片識別装置１０に挿入することによって、貸機２から遊技メダル２００の供給を受けることができるものである。遊技メダル貸機２は、その筐体２Ａ内の上部に薄片１００の一つである紙幣の真偽を識別する薄片識別装置１０と、下部に遊技メダルを供給する遊技メダル供給部２０と、そして、中間部に電装部３０を内蔵している。
【００２３】
メダル貸機２は薄片識別装置１０と電装部３０の前面側を開閉できるように前面板１６を備えており、前面板１６には、薄片識別装置１０に対応した前面側に薄片挿入部１１を備えている。前面板１６は、遊技装置の管理者が開閉できる施錠装置１８によって閉じられているが、前面板１６を開くことによって薄片識別装置１０、電装部３０、及びその他の箇所の点検や修理等ができる。
【００２４】
薄片挿入部１１は、メダル貸機２の前面に開口し、その開口に下側又は上側に挿入適用紙幣の金種表示部を備えている。この金種表示部の表示は、挿入適用紙幣が￥１０００であれば￥１０００を標記している。薄片挿入口１１から挿入された紙幣の真偽判別を薄片識別装置１０で行い、識別した真正紙幣１００を後述の薄片導入装置３へ導入する。メダル貸機２に適用可能な紙幣は、例えば、１０００円以外に、２０００円、５０００円、１００００円の紙幣の一つ又は複数とすることもできる。
【００２５】
遊技メダル供給部２０は、メダル払い出し装置２１とその上部に設けたホッパー状のメダル収納部２２を備え、メダル収納部２２へ収納されたメダル２００をメダル払い出し装置２１によって１枚ずつ所定枚数払い出すものである。メダル収納部２２へのメダル２００の補給は、遊技メダル供給部２０に対応してメダル貸機２の前面に設けた前面板２３を開くことにより可能である。前面板２３は、遊技装置の管理者が開閉できる施錠装置２４によって閉じられており、前面板２３を開くことによって、遊技メダル供給部２０や後述のメダル移送装置３００の点検、修理等ができる。
【００２６】
メダル払い出し装置２１は、メダル収納部２２の下端部に配置した払い出し盤２０Ａを電動機機構によって回転することによって、メダル収納部２２のメダル２００を１枚ずつ払い出す仕組みである。メダル払い出し装置２１は、後述のメダル送出装置３０２と同様の構成である。払い出されたメダル２００は、後述のメダル移送装置３００のメダル収納部３０１へ供給される仕組みである。
【００２７】
電装部３０は、薄片識別装置１０と遊技メダル供給部２０に電気的に接続されている。このため電装部３０は、紙幣挿入口１１から挿入され薄片識別装置１０にて識別された真正紙幣１００の金額データの読み込み制御や、この金額データを遊技機１の前面板に設けた表示器に表示させる制御や、この真正紙幣１００の金額に対応してメダル払い出し装置２１から所定数のメダルを払い出す制御や、このメダル払い出し装置２１から払い出すメダル数を貸機２の前面に設けた表示器１７に表示させる制御や、メダル収納部２２の収納メダルの不足を検知センサで検知し、ＬＥＤ等の表示部等で報知する制御や、後述のメダル移送装置３００に関係する制御等、これらの制御を行なう制御部を備えている。
【００２８】
遊技機１と貸機２とは基台に横一列状に併設されてグループＰ、Ｑを構成して、遊技施設内に恰も「島」を形成するように見えるため、遊技島、遊技装置の島または単に島と称している。このような遊技島は、前記グループＰ、Ｑが背中合わせに配置したものを両島タイプと称し、グループＰ又はＱの一方側のみのものを片島タイプと称している。図３には、グループＰ、Ｑが背中合わせに配置された両島タイプの構成を示している。グループＰ、Ｑの背面側には、グループＰ、Ｑに沿って薄片１００を一方向に向けて搬送する搬送路Ｍを形成する薄片搬送装置５が設けられており、貸機２の薄片識別装置１０で識別された真正薄片１００は、薄片導入装置３によって薄片搬送装置５へ導入される。薄片搬送装置５の搬送終端部には薄片１００をカウントし、収納する収納庫７０が設けられている。
【００２９】
薄片搬送装置５は、電動機装置５５によって一方向へ搬送駆動される一本のエンドレスベルト５１（支持ローラ５４Ａと５４Ｂに架け渡されている）と、このエンドレスベルト５１に対向配置されたカバー部材５２との間に薄片１００を挟持して搬送する搬送路Ｍ１を形成した搬送ユニット５０（別称、搬送カセット５０）の複数が直列状態に接続されて薄片搬送路Ｍを形成する。また、他の形態としては、一方向へ搬送駆動される一本のエンドレスベルト５１が対向配置され、このエンドレスベルト５１、５１相互間に薄片１００を挟持して搬送する搬送路Ｍ１を形成した搬送ユニット５０（別称、搬送カセット５０）の複数が直列状態に接続されて薄片搬送路Ｍを形成するものもある。
【００３０】
遊技者が遊技機１で遊技する場合、遊技メダル貸機２の薄片挿入口１１へ、例えば１０００円紙幣を挿入すると、それを薄片識別装置１０で識別し、その１０００円紙幣が真正紙幣である場合は、それに見合う数、例えば５０枚の円盤状のメダル２００を電装部３０の制御部の動作に基づき払い出すように遊技メダル供給部２０が動作する。遊技メダル供給部２０の動作は、メダル払い出し装置２１の電動機機構によって払い出し盤２０Ａが回転し、毎秒１０枚のスピードでメダル収納部２２のメダル２００を１枚ずつ送出する。これは、後述の送出装置３０２と同様の構成であるが、他の構成でもよい。
【００３１】
遊技メダル供給部２０から送出されるメダル２００は、メダル案内シュート（又はメダル案内樋という）２０Ｂを通ってメダル移送装置３００のメダル収容部３０１へ供給される。メダル移送装置３００は、上方開口に向けて広がった形状の合成樹脂製容器でもって形成したメダル収容部３０１と、メダル収容部３０１の底部に設けられて遊技メダル２００を１枚ずつ排出する送出装置３０２と、この送出装置３０２から排出された遊技メダル２００を遊技機１のメダル挿入（投入）部２５へ向けて搬送するリフト装置３０３と、送出装置３０２から排出される遊技メダル２００を立った状態に転換してリフト装置３０３に導入する導入装置３０４と、リフト装置３０３によって上方へ移送されたメダル２００を遊技機１のメダル投入口２５へ導入するメダル案内シュート（又はメダル案内樋という）３５０を備えており、後述のように電動機装置３３０によって駆動される構成である。
【００３２】
そして、送出装置３０２とリフト装置３０３との配置関係は、送出装置３０２から送出される遊技メダル２００が、そのまま直線的に後方へ移動する通路上にリフト装置３０３が配置された構成ではなく、送出装置３０２から送出される遊技メダル２００の移動方向（メダル送出通路ＭＨＨと称する）と、導入装置３０４によってリフト装置３０３の下部の入口部３０３Ａへ送りこまれるメダル２００の移動方向（メダルリフトアップ通路ＭＨ）とが交差配置されている。この交差部に送出装置３０２から送出される遊技メダル２００を後述の湾曲通路３３６に沿って立った状態に転換しつつリフト装置３０３に導入する導入装置３０４の回転作動部材３０４Ａを設けている。
【００３３】
メダル移送装置３００は、貸機２に組み込まれているが、送出装置３０２とリフト装置３０３とが貸機２内に収納され、リフト装置３０３が貸機２の前面板２３の裏側に沿って略垂直状態で縦に配置されている。そして、メダル収容部３０１の前面側に形成した上面開口の前面受け入れ口３０５Ａを有する前面受け入れ部３０５とメダル案内シュート３５０が、貸機２の前面板２３の前側に突出状態に配置されている。前面受け入れ部３０５は、遊技者が遊技機１のメダル受け皿１Ｄに払い出された入賞メダル２００を挿入（投入）して遊技することができるようにするためのものである。
【００３４】
メダル案内シュート３５０によってメダル２００を遊技機１のメダル投入部２５へ安定して導入することが必要である。メダル案内シュート３５０が揺れて、案内シュート（又はメダル案内樋という）３５０の先端、即ち、第２案内シュート３５３の先端と遊技機１のメダル投入口２５との整合状態が保たれなくなることは問題である。このため、メダル案内シュート３５０が揺れ動き難いようにするために、第１案内シュート３５１とリフト装置３０３の収納筒３４３が強固に組み合わされ、第１案内シュート３５１の基部の取付け部５０１Ｄが、貸機２内の固定部にネジにて固定され、且つ、リフト装置３０３の収納筒３４３の適数箇所に設けた取付け部３４３Ｄが、貸機２内の固定部にネジにて固定されている。
【００３５】
なお、第１案内シュート３５１が前面板２３を貫通した部分で、貸機２の前面板２３へ第１案内シュート３５１の基部をネジ固定するようにしてもよい。また後述のメダル方向転換部３５２を前面板２３の前面側へ取り付けることに伴って、メダル案内シュート３５０が貸機２の前面板２３へ固定される構成を追加してもよい。
【００３６】
メダル収容部３０１は、底部にメダル送出装置３０２の払い出し盤３０２Ａが配置され、上面開口３１０へ向けて上方に広がった構成であり、上面開口３１０の後側部分は、遊技メダル供給部２０から送出されるメダル２００を受け入れる受け入れ口を構成し、上面開口３１０の前側部分は、貸機２の前面側に張り出した（露出した）前面受け入れ部３０５を構成している。前面受け入れ部３０５は、遊技者が遊技機１のメダル受け皿１Ｄに払い出された入賞メダル２００を挿入（投入）するための上面開口の受け入れ口３０５Ａを有しており、図示のメダル収容部３０１は上面開口３１０へ向けて、左右側壁は略直立状であり前方と後方に広がった形状である。
【００３７】
メダル収容部３０１は、上面に開口３１０を形成するように容器部材で形成されたものである。具体的には、メダル収容部３０１は、第１容器部３０１Ａと第２容器部３０１Ｂとの組み合わせによって構成されている。第１容器部３０１Ａは、上端面が上面開口３１０の後側部分を構成しており、ベース板３１５の上面に形成した円形状又は円弧状の突壁３１６の内側に嵌る円形状嵌合部３０１Ｅを底部に形成し、円形状嵌合部３０１Ｅの上部前面に前面開口３１１を形成しており、左右側壁は円形状嵌合部３０１Ｅに向けて略直立状であり、後壁３０１Ｄは円形状嵌合部３０１Ｅから上面開口３１０に向けて後方に傾斜して拡がった形状の合成樹脂製である。
【００３８】
また、第２容器部３０１Ｂは、上面開口３１０の前側部分を構成しており、後端開口３０１Ｂ１の周縁が前面開口３１１の周縁部と連接されるように第１容器部３０１Ａに組み合わされた合成樹脂製であり、上面開口の前面受け入れ口３０５Ａを形成してメダル収容部３０１の前面受け入れ部３０５を形成している。
【００３９】
ベース板３１５の上面には、切り欠き部がメダル送出口３２６となる円形状又は円弧状の突壁３１６が形成されており、その突壁３１６の内側において、払い出し盤３０２Ａが、ベース板３１５上で回転軸３１７によって一方向へ回転するように設けられている。そして、突壁３１６には第１容器部３０１Ａの円形状嵌合部３０１Ｅが嵌合してメダル収容部３０１を形成している。
【００４０】
前面受け入れ部３０５は、上面開口の受け入れ口３０５Ａと、受け入れ口３０５Ａから受け入れたメダル２００を送出装置３０２へ向けて誘導するメダル受け入れ通路を備え、このメダル受け入れ通路は傾斜誘導路３０５Ｂによって後方に低く傾斜通路を形成している。これによって、遊技者が貸機２の前面側から受け入れ口３０５Ａへ挿入（投入）した遊技メダル２００は、傾斜誘導路３０５Ｂによってメダル収容部３０１の底部に配置された払い出し盤３０２Ａに向けて誘導される。第２容器部３０１Ｂ、即ち前面受け入れ部３０５は、略貸機２の横幅に近い幅を持つ大きさであり、受け入れ口３０５Ａも略その横幅に形成されている。
【００４１】
前面受け入れ部３０５には、第２容器部３０１Ｂの上面開口３１０の後側を表面板３０７で塞ぐことにより、前側を前面受け入れ部３０５の前面受け入れ口３０５Ａとし、貸機２の前面板２３に近い後側が、表面板３０７で覆われている。表面板３０７は、移送装置３００の駆動制御用手動スイッチ装置３０６を備えており、メダル収容部３０１の上方を覆う状態に配置される。これによって、貸機２の前面側に延びるメダル収容部３０１の上面開口３１０は、その前側を前面受け入れ部３０５の前面受け入れ口３０５Ａとし、貸機２の前面板２３に近い後側が、手動スイッチ装置３０６を備えた表面板３０７で覆われている。このため、受け入れ口３０５Ａが前側で、この受け入れ口３０５Ａに近接して後ろ側に手動スイッチ装置３０６が配置される関係となり、遊技機１のメダル受け皿１Ｄに払い出された入賞メダル２００を受け入れ口３０５Ａへ挿入（投入）し易く、また、メダル移送装置３００の駆動のＯＮ−ＯＦＦ操作がし易くなる。
【００４２】
表面板３０７の裏側には、傾斜誘導路３０５Ｂと十分な間隔を保ってスイッチボックス３０７Ａが配置され、スイッチボックス３０７Ａ内には、手動スイッチ装置３０６と、ＬＥＤ等で構成された表示灯３０８が取り付けられた基板３０７Ｂ等が収納されている。基板３０７Ｂの電気回路は、電装部３０の制御部と電気的に接続されている。手動スイッチ装置３０６は、操作のし易さ等を考慮して、その操作部３０６Ａが表面板３０７の上面から外部に露出状態に配置されている。
【００４３】
遊技者は、遊技機１のメダル受け皿１Ｄに払い出された入賞メダル２００を取り出して前面受け入れ部３０５へ挿入（投入）する動作がし易いようにするために、上記のように前面受け入れ部３０５は、略貸機２の横幅に近い幅を持つ大きさを有すると共に、遊技メダル貸機２が遊技機１に併設されるとき、遊技機１のメダル受け皿１Ｄの横に近接配置され、略同等の水平位置に配置されている。
【００４４】
貸機２のメダル移送装置３００によって移送されるメダル２００が、貸機２の前方へ延びたメダル案内シュート（又はメダル案内樋という）３５０によって遊技機１のメダル投入口２５へ導入される。このため、案内シュート（又はメダル案内樋という）３５０の先端と遊技機１のメダル投入口２５とを整合させるために、貸機２は、遊技機１よりも若干後方位置にある。そして、遊技機１のメダル受け皿１Ｄに払い出された入賞メダル２００を貸機２の前面受け入れ部３０５へ移し替え易いようにするために、前面受け入れ部３０５は、遊技機１のメダル受け皿１Ｄと近接配置され、更に、略貸機２の横幅に近い幅を持つ大きさである。なお、前面受け入れ部３０５とメダル受け皿１Ｄが、略同一平面上に配置され、更にこの両者が横並びであれば、メダル受け皿１Ｄに払い出された入賞メダル２００を貸機２の前面受け入れ部３０５へ移し替え易い状態となる。
【００４５】
受け入れ口３０５Ａに挿入（投入）されたメダル２００が、傾斜誘導路３０５Ｂから払い出し盤３０２Ａに向けて移動する間に、第２容器部３０１Ｂ、即ち、前面受け入れ部３０５内に直立した側壁３０５Ｃが存在すると、この側壁に沿ってメダル２００が立った状態となり、他のメダル２００の移動に邪魔となる虞がある。これを防止するために、傾斜誘導路３０５Ｂと左右側壁３０５Ｃとの間のコーナ部は、メダル２００が側壁から傾斜誘導路３０５Ｂに向けて滑る曲線コーナ３０５Ｄとしている。これによって、傾斜誘導路３０５Ｂに沿って移動するメダル２００が側壁付近で立つことがなく、全てのメダル２００が払い出し盤３０２Ａに向けて倒れた状態で移動でき、払い出し盤３０２Ａで安定した送出動作が達成できるものとなる。
【００４６】
メダル送出装置３０２は、メダル収容部３０１の底部に配置した払い出し盤３０２Ａと、払い出し盤３０２Ａを駆動する電動機装置３３０とを備え、電動機装置３３０は、電動機３３１とこの電動機３３１の回転によって回転する複数の歯車の組み合わせからなる伝達装置３３２とからなる。電動機３３１の回転が伝達装置３３２を介して払い出し盤３０２Ａの回転軸３１７に伝達され、回転軸３１７と共に払い出し盤３０２Ａが回転することによって、メダル２００を１枚ずつメダル送出口３２６から送出する仕組みである。
【００４７】
払い出し盤３０２Ａは、回転軸３１７を中心とする同一円上に等間隔配置でメダルを個々に収納する複数のメダル分離孔３１８が形成されており、回転中心部には山形で上方へ突出したメダル攪拌部３１９が形成された合成樹脂製である。メダル分離孔３１８は、メダル２００の１個が若干の余裕をもって平坦状に嵌り込む大きさの円形状孔であり、上面にはメダル分離孔３１８の回転先側がメダル分離孔３１８へ向けて低く傾斜した案内面３１８Ｂを形成しており、払い出し盤３０２Ａの回転によって、メダル２００がメダル分離孔３１８へ進入し易いようになっている。また、払い出し盤３０２Ａの下側には、図１３に示すように、メダル分離孔３１８に入ったメダル２００が、後述のように、メダル送出口３２６へ向けて押し出されるように、メダル分離孔３１８の回転後壁が突壁３１６に向けて曲線状に開いた形状のメダル押し出し面３１８Ａを形成している。
【００４８】
払い出し盤３０２Ａを取り囲む壁である突壁３１６が切れた部分には、メダル送出口３２６が形成されており、ベース板３１５の上面には、メダル送出口３２６に対応した内側位置において、メダル分離孔３１８の略中心の回転軌跡上に、円錐状の送出案内ピン３２０が設けられている。このため、払い出し盤３０２Ａの下面には、この送出案内ピン３２０が衝突しないように、ベース板３１５との間に回転軸３１７を中心とした円形の空間３２０Ａがある。
【００４９】
メダル送出口３２６に臨んだ外側位置には、一対の送出作動体３２１と３２２が対向配置されている。送出作動体３２１は固定であり、送出作動体３２２は可動である。送出作動体３２１は、メダル２００が当たる部分に回転可能に軸支されたローラ３２１Ａを備えている。略Ｌ字形の送出作動体３２２は、中間部が回動可能に軸支持３２３されており、メダル２００が当たる先端部分にはローラ３２２Ａが回転可能に軸支され、後端部はローラ３２１Ａと３２２Ａが所定間隔の送出間口を形成するように、バネ３２４によって付勢された状態である。バネ３２４によって付勢された状態で、送出作動体３２１、３２２それぞれの先端の間隔、即ち送出間口を形成するローラ３２１Ａと３２２Ａの間隔は、メダル２００の半径よりも大で直径よりも若干小の間隔である。
【００５０】
本発明では、遊技者が遊技機１のメダル受け皿１Ｄに払い出された入賞メダル２００を使って遊技する場合、遊技者がこの入賞メダル２００を遊技機１のメダル投入口２５へ直接挿入するのではなく、この入賞メダル２００をメダル移送装置３００によって遊技機１のメダル投入口２５へ搬送する仕組みである。即ち、貸機２の前面側に設けられている貸機２のメダル投入口となる前面受け入れ部３０５へ、この入賞メダル２００を挿入（投入）した後、遊技者が貸機２の前面側に設けられている手動スイッチ装置３０６を操作することにより、このメダル２００をメダル移送装置３００によって遊技機１のメダル投入口２５へ導入することができる。
【００５１】
また本発明では、遊技メダル供給部２０から送出されるメダル２００も、メダル移送装置３００によって遊技機１のメダル投入口２５へ搬送して、メダル２００を使って遊技機１で遊技できる仕組みである。次に、メダル移送装置３００の動作について説明する。
【００５２】
操作部３０６Ａを押して手動スイッチ３０６をＯＮさせることによって、電装部３０の制御部の動作によってメダル移送装置３００の駆動部がＯＮ（運転）し、メダル収容部３０１内のメダル２００が遊技機１のメダル投入口２５へ搬送される。即ち、後述のように、電動機３３１が始動して送出装置３０２とリフト装置３０３と導入装置３０４が同時にＯＮ（運転）して、電装部３０の制御部の動作によって、メダル収容部３０１内のメダル２００が、遊技機１のメダル投入口２５へ搬送される。そして、後述のように、メダル２００の送出を検出部３２５が検出した後、所定時間（例えば６秒）経過して次のメダル２００が検出部３２５で検出されない場合は、メダル収容部３０１内の最後のメダル２００が送出されたと判断して、電動機３３１が停止して送出装置３０２とリフト装置３０３は自動停止するように、電装部３０の制御部の動作によって制御される構成である。なお、最後のメダル２００が送出される前に、手動スイッチ装置３０６を再度ＯＮすれば、電装部３０の制御部の動作によって、メダル移送装置３００の動作は停止する。即ち、送出装置３０２とリフト装置３０３と導入装置３０４はストップする。手動スイッチ装置３０６の操作に基づくメダル移送装置３００の動作状態（ＯＮのとき）と動作待機状態（ＯＦＦのとき）は、表示灯でその状態が判るように表示すればよい。
【００５３】
遊技者が遊技機１であるパチスロ機を操作する場合は、薄片挿入口１１に例えば、１０００円紙幣１００を挿入する。この紙幣１００が薄片識別装置１０で識別され、それが真正紙幣１００である場合は、電装部３０の制御部の動作に基づき、円盤状の遊技メダル２００を規定枚数（例えば、５０枚）払い出すように遊技メダル供給部２０が動作する。遊技メダル供給部２０の動作は、電装部３０の制御部の動作に基づきメダル払い出し装置２１の電動機機構が始動して払い出し盤が回転し、毎秒１０枚のスピードでメダル収納部２２のメダル２００を１枚ずつ払い出す。（１０００円紙幣１００の挿入によって、規定枚数として５０枚のメダルが払い出されるものとする。）これは、送出装置３０２と同様の構成である。
【００５４】
このようにしてメダル払い出し装置２１から払い出されたメダル２００は、メダル案内シュート（又はメダル案内樋という）２０Ｂを通って、貸機２内の開口部３１０からメダル収容部３０１へ供給される。メダル移送装置３００の駆動部は、電装部３０の制御部の動作によって、遊技メダル供給部２０の動作と共にＯＮし（運転し）て、メダル収容部３０１内のメダル２００が遊技機１のメダル投入口２５へ搬送される。即ち、電装部３０の制御部の動作によって、送出装置３０２とリフト装置３０３と導入装置３０４が同時にＯＮ（運転）し、メダル収容部３０１内のメダル２００が遊技機１のメダル投入口２５へ搬送される仕組みである。
【００５５】
このように、送出装置３０２の電動機３３１は、前記電装部３０の制御部の動作に基づきメダル払い出し装置２１の電動機機構の運転と共に運転され、払い出し盤３０２Ａが回転する。この払い出し盤３０２Ａの回転によって、メダル収容部３０１内のメダル２００は、メダル攪拌部３１９で攪拌され、後述のメダル残留防止装置７００でメダル２００が抵抗を受けるため、横に倒れた水平状態で１枚ずつメダル分離孔３１８に入り易くなる。メダル移送装置３００の駆動によって、メダル収容部３０１内のメダル２００が残らず送出されるようにするために、払い出し盤３０２Ａの回転によってメダル送出口３２６に対応した位置へ移動してきたメダル分離孔３１８に向かうように、メダル送出口３２６の内側に向かって上方から下方へ延びたバネ７００によるメダル残留防止装置を設けている。
【００５６】
メダル分離孔３１８のメダル２００は、払い出し盤３０２Ａが図１３で反時計方向へ回転して送出口３２６に対応する位置に移動することに伴って、そのメダル２００の周縁部が送出案内ピン３２０に衝突する。この衝突によってそのメダル２００の移動が阻止されるため、払い出し盤３０２Ａの回転に伴って、図１３に示すように、そのメダル２００は払い出し盤３０２Ａの下側へ潜り込んでメダル押し出し面３１８Ａによって押されつつ、メダル分離孔３１８から送出口３２６へ向けて押し出される。
【００５７】
このように送出口３２６へ押し出されるメダル２００は、払い出し盤３０２Ａの回転に伴って、ローラ３２１Ａと３２２Ａに当接し、ローラ３２１Ａは固定ローラであるため、ローラ３２２Ａをバネ３２４に抗して押し退けつつ、ローラ３２１Ａと３２２Ａの間隔を押し広げるように送出作動体３２２を回動させる。このような動作によって、メダル２００の直径部分がローラ３２１Ａと３２２Ａの間を通り過ぎた時、バネ３２４の復帰力によって、ローラ３２１Ａと３２２Ａの間隔が狭まる方向へ送出作動体３２２が復帰する。この復帰時の作用力によって、メダル２００は、メダル送出口３２６の外方の導入部３３５へ向けて押し出される。このような動作が払い出し盤３０２Ａの回転によって連続して行われる。
【００５８】
メダル送出口３２６の外方へ略水平状態で押し出されたメダル２００は、送出口３２６の延長上に配置した導入部３３５に、略水平状態で受け入れられる。導入部３３５は、送出口３２６から傾斜面３３５Ａを経た窪み３３５Ｂによって１個のメダル２００が入る大きさに形成されている。導入部３３５に対応してその上方に導入装置３０４が配置されている。導入装置３０４は、導入部３３５に略水平状態で送出された遊技メダル２００を、湾曲通路３３６にて立った状態に転換しつつリフト装置３０３の下部の入口部３０３Ａへ導入するように、湾曲通路３３６を形成している。導入装置３０４は、電動機装置３３０によって駆動される。即ち、電動機３３１によって駆動される伝達装置３３２によって、払い出し盤３０２Ａの回転によるメダル２００の払い出し動作と同期して回転する回転軸３０４Ｂと、回転軸３０４Ｂの先端部に固定した作動部材３０４Ａを備えている。作動部材３０４Ａは、基部が回転軸３０４Ｂに固定され、この基部から先端に向けて先細り状の掬い上げ爪状をなし、メダル２００を掬い上げるための掬い上げ面３０４Ｃが回転軸３０４Ｂから延びる半径上に形成されている。
【００５９】
導入部３３５に入ったメダル２００は、ここで回転する作動部材３０４Ａによって、導入部３３５からリフト装置３０３の下部の入口部３０３Ａへ向けて湾曲した湾曲通路３３６に沿って押し上げられる。この押し上げに伴って、メダル２００は横に倒れた略水平状態から湾曲通路３３６に沿って徐々に立ち上がり、リフト装置３０３の下部の入口部３０３Ａへ達したとき、即ち、後述の搬送路３４５の入口部３０３Ａへ達したときには、図１０に示すように略立った状態である。湾曲通路３３６は、作動部材３０４Ａを前後で挟む位置に略並行して配置した通路部材３３６Ａで形成されている。この通路部材３３６Ａは、メダル２００よりも十分硬く、メダル２００との接触によって磨耗し難い材料で形成されるものであり、金属、セラミックス等で構成された耐磨耗性部材である。
【００６０】
湾曲通路３３６を形成する略並行配置した通路部材３３６Ａ間には、リフト装置３０３の下部の入口部３０３Ａへ向かう溝３３７を形成している。この溝３３７は、通路部材３３６Ａよりも深い位置にあり、作動部材３０４Ａの先端がこの溝３３７に入り込んで回転することにより、メダル２００の端部を良好に押し出すことができるようになる。送出口３２６から遠い側の通路部材３３６Ａに対向して上方に通路カバー３３８が設けられ、メダルの飛び出しを防止している。手前側の通路部材３３６Ａに対しては、メダル送出口３２６から送出されるメダル２００の移動に対して障害となるため、通路カバーを設けることが難しい。
【００６１】
誘導面３３６と通路カバー３３８との間に、リフト装置３０３の下部の入口部３０３Ａへ向かうメダル移送通路ＭＨが形成される。このカバー３３８によって、リフト装置３０３の下部の入口部３０３Ａへ作動部材３０４Ａによって押し出されるメダル２００の浮き上がりが抑制される。誘導面３３６と通路カバー３３８との間のメダル移送通路ＭＨは、リフト装置３０３の下部の入口部３０３Ａへ向かって湾曲した通路であり、この湾曲した通路の後に通路側壁３３９Ｂを設けて、メダル２００がこの通路から飛び出さないように安定移送を確保している。
【００６２】
このように、払い出し盤３０２Ａの回転によって送出口３２６から略水平状態で送出されるメダルを受け入れる導入部３３５と、この導入部３３５に入ったメダル２００を横方向にあるリフト装置３０３の下部の入口部３０３Ａへ向けて延びた湾曲した湾曲通路３３６に沿って押し上げる回転作動部材３０４Ａを設けている。そして、遊技メダル貸機の小型化を図るために、このメダル送出口３２６から送出されるメダルの移動方向（メダル送出通路ＭＨＨと称する）と、回転作動部材３０４Ａによってリフト装置３０３の下部の入口部３０３Ａへ送りこまれるメダルの移動方向（上記メダルリフトアップ通路ＭＨ）とは、交差しており、実施例では略９０°である。この交差部に送出装置３０２から送出される遊技メダル２００を湾曲通路３３６に沿って立った状態に転換しつつリフト装置３０３に導入する回転作動部材３０４Ａが配置されている。
【００６３】
このような構成において、送出口３２６から導入部３３５へ送出されるメダルは、導入部３３５の奥側の壁に衝突して跳ね返り、前記メダル送出通路ＭＨＨと前記メダルリフトアップ通路ＭＨとの交差部の内側に向かう。また、導入部３３５に入ったメダル２００に対して、回転する作動部材（キックレバーともいう）３０４Ａが衝突するため、そのメダル２００が前記メダル送出通路ＭＨＨと前記メダルリフトアップ通路ＭＨとの交差部の内側に向けて激しく押される状況が生じる。
８８０を設けている。
【００６４】
上記のように、手前側の通路部材３３６Ａに対しては、メダル送出口３２６から送出されるメダル２００の移動に対して障害となるため、通路カバーを設けていない。このため、本発明では、前記メダル送出通路ＭＨＨと前記メダルリフトアップ通路ＭＨとの交差部の内側部分から飛び出さないように、略垂直状に延びたポール状の飛び出し防止部材８８０を設けている。
【００６５】
飛び出し防止部材８８０の形状は、狭い交差部の内側領域に配置する関係上、棒状をなし、図では、円筒状又は円柱状であるが、これに限定されない。飛び出し防止部材８８０は、その機能を十分発揮するように、湾曲通路３３６の内側（送出装置３０２側）に配置されている。このメダル飛び出し防止部材は、メダル２００よりも十分硬く、メダルによって磨耗し難い材料とすることによって、多数のメダル移送が安定して行えるようにするものである。このため、メダル飛び出し防止部材８８０は、メダル２００よりも十分硬い金属、セラミックス等で構成された耐磨耗性部材である。
【００６６】
具体的には、メダル２００のビッカース硬度が２００である場合、通路部材３３６Ａのビッカース硬度は、その２．５倍強の５００以上であれば好ましく、この場合、約４５００万枚のメダル２００の移送に対して適応可能となる。このため、材料としては、ビッカース硬度が５００以上のステンレススチール（ＳＵＳ）、ＳＫ焼き入れ材、窒化処理した部材、炭化処理した部材等の金属、又はセラミック材等が適当である。また本発明では、作動部材（キックレバーともいう）３０４Ａもこのような材料とすることによって、安定したメダル移送が達成できることとなる。
【００６７】
リフト装置３０３は、遊技メダル２００の直径よりも大でその直径の２倍よりも小さいピッチの突状螺旋３４１を外面に形成した直線状の螺旋体３４０と、この螺旋体３４０を収納する収納筒３４３を備えており、遊技メダル２００が、突状螺旋３４１間で立って突状螺旋３４１に乗った状態で、電動機装置３３０によって駆動される螺旋体３４０の回転によって上方へメダル２００を搬送する仕組みである。この収納筒３４３は、後半部は螺旋体３４０の回転直径（突状螺旋３４１が回転するときの直径に相当）に沿う内面を形成し、前半部は並行した左右側壁３４３Ａ間に収納筒３４３の長さ方向の開口３４３Ｂを形成している。この左右側壁３４３Ａの前端面との間に１枚の遊技メダル２００が立った状態で上方へ移動可能な間隔３４５Ａを保つ案内溝を形成するように、案内壁３４２が開口３４３Ｂを塞ぐ状態で収納筒３４３に取り付けられている。これによって、螺旋体３４０と案内壁３４２との間には、遊技メダル２００の左右両側が間隔３４５Ａの案内溝に入り込んだ状態の搬送路３４５が形成される。
【００６８】
搬送路３４５の下端はリフト装置３０３の下部の入口部３０３Ａに連通し、搬送路３４５の上端はメダル案内シュート３５０のメダル通路ＭＤに連通している。この構成によって、突状螺旋３４１に立った状態で乗った遊技メダル２００は、遊技メダル２００の裏面が左右側壁３４３Ａの前端面によって支えられ、遊技メダル２００の表面が案内壁３４２によって支えられる関係によって、搬送路３４５に保持されている。このため、螺旋体３４０が回転しても遊技メダル２００はその方向に回転せず、螺旋体３４０の回転に伴って、搬送路３４５を上方へ直線状に搬送される。
【００６９】
上記の構成において、リフト装置３０３の下部の入口部３０３Ａへ達した遊技メダル２００は、螺旋体３４０の回転によって、突状螺旋３４１の最下段によって遊技メダル２００の下側が掬い取られる。その掬い取られた遊技メダル２００は突状螺旋３４１に立った状態で乗り、螺旋体３４０と案内壁３４２との間を搬送路３４５に立った状態で、直立状態の収納筒３４３に沿って直線状に上方へ搬送される。
【００７０】
上記のように、搬送路３４５の形成は、収納筒３４３の開口した一面において、螺旋体３４０の回転に伴って遊技メダル２００が螺旋体３４０の回転方向へ回転せずに、螺旋体３４０の長さ方向に実質的な直線状の搬送路３４５の構成であればよいため、上記構成に拘束されない。このため、収納筒３４３は案内壁３４２を一体形成したものでもよいが、組み立てや内部の修理点検等を考慮すれば、上記のように、収納筒３４３の一面が開放された形態とし、この開放部３４３Ｂを塞ぐように、別体の案内壁３４２を収納筒３４３に取外し可能又は開閉可能に取り付ける構成が好ましい。
【００７１】
リフト装置３０３は、その中の搬送路３４５を搬送される遊技メダル２００を外部から透視できるようにするために、収納筒３４３全体又は案内壁３４２を透視可能な合成樹脂製資材にて構成することにより、遊技メダル２００の搬送状態や、内部の故障状態等を外部から目視確認でき、点検に便利である。
【００７２】
リフト装置３０３の螺旋体３４０は、上端部の軸が収納筒３４３に設けた上部軸受け３４６Ａに支持され、下端部の軸３４０Ａが、ベース板３１５に設けた下部軸受け３４６Ｂに支持されている。螺旋体３４０は、電動機装置３３０によって駆動される。即ち、電動機３３１によって駆動される伝達装置３３２によって、下端部の軸３４０Ａが回転することにより、一方向へ回転する。そして、この螺旋体３４０は、導入装置３０４の作動部材３０４Ａの回転によるメダル２００の導入動作と同期して回転するように構成されている。このため、一つの電動機３３１によって、払い出し盤３０２Ａの回転と、作動部材３０４Ａの回転と、螺旋体３４０の回転が同期して行われるように伝達装置３３２によって駆動されるため、払い出し盤３０２Ａの回転と、作動部材３０４Ａの回転と、螺旋体３４０の回転をそれぞれの電動機によって駆動する場合に比して、同期がとり易く、電装部３０の制御回路も簡素化され、電動機も少なくて済む等の効果がある。
【００７３】
リフト装置３０３の螺旋体３４０の回転（図５では矢印Ｒ方向回転）によって、遊技メダル２００は搬送路３４５を直線状に上方へ搬送され、この遊技メダル２００は、リフト装置３０３の上端部に設けたメダル出口３０３Ｂから螺旋体３４０によって押し出される。この押し出された遊技メダル２００が、遊技機１のメダル投入部２５へ導入されるようにするために、メダル出口３０３Ｂにはメダル案内シュート３５０が連結されている。このため、リフト装置３０３によって上方へ搬送されたメダル２００は、順次メダル案内シュート３５０から遊技機１のメダル投入部２５へ導入され、遊技機１での遊技が可能となる。
【００７４】
メダル案内シュート３５０は、貸機２内に配置されるリフト装置３０３のメダル出口３０３Ｂに基部が接続された合成樹脂製の第１案内シュート（第１案内樋ともいう）３５１と、貸機２の前面側へ延出した第１案内シュート３５１の先端に接続された合成樹脂製の第２案内シュート（第２案内樋ともいう）３５３とを備えている。この第２案内シュート３５３は、固定の第１案内シュート３５１に対して少なくとも左右に回動可能である。実施例では使用上での便利性と保守等を考慮して、第２案内シュート３５３は、第１案内シュート３５１に対して上下と左右に回動可能である。
【００７５】
以下に、メダル案内シュート（又はメダル案内樋という）３５０の具体的な構成について説明する。第１案内シュート３５１は、リフト装置３０３の収納筒３４３に一端が取り付けられ、メダル通路ＭＤが貸機２の前面板２３の前方へ向けて斜め下方へ延びている。第１案内シュート３５１と第２案内シュート３５３とは、合成樹脂製のメダル方向転換部３５２を介してメダル通路ＭＤが連通している。メダル方向転換部３５２は、第１案内シュート３５１から第２案内シュート３５３へ向けてメダル２００が方向変換する部分であり、遊技メダル２００が立った状態で第１案内シュート３５１から第２案内シュート３５３へ移動するようにメダル通路ＭＤが構成されている。
【００７６】
以下に、メダル方向転換部３５２の構成を説明する。メダル方向転換部３５２は、第１案内シュート３５１の先端部に形成した上下方向の筒部３５４内に形成されている。メダル方向転換部３５２は、筒部３５４内に嵌合する合成樹脂製筒状の通路変換部材３５５によって形成されている。通路変換部材３５５は、その上端部に形成した環状鍔３５５Ａが筒部３５４の係止段部３５４Ａに係止状態で保持されている。通路変換部材３５５の内径は、遊技メダル２００の直径よりも若干大きく設定されており、通路変換部材３５５の上面開口が遊技メダル２００の進入部３５９Ａであり、下部には直径Ｄ２上に遊技メダル２００の出口部３５９Ｂが設けられている。
【００７７】
通路変換部材３５５の内径は、遊技メダル２００の直径よりも若干大なり寸法（遊技メダル２００の直径よりも大でその直径の１．５倍以下）の円筒状をなし、中心方向に向かってそれぞれ三角形状の頂部が近接するように突出した一対の突壁３５６、３５７が、その円筒状の縦軸方向に長く形成されている。一対の三角形状の突壁３５６、３５７は、その頂部の角度が９０°以内の角度を有し、通路変換部材３５５の内径の直径に沿って、それぞれの側面が延長方向において平行状態である。即ち、通路変換部材３５５へ進入する遊技メダル２００の左右の面に対面する側の突壁３５６の側面３５６Ａと突壁３５７の側面３５７Ａ（図では通路変換部材３５５の一つの直径Ｄ１に沿った側面）とが、その延長線上において平面視でＳ１の間隔を存して略平行状態である。また、出口部３５９Ｂへ入る遊技メダル２００の左右の面に対面する側の突壁３５６の側面３５６Ｂと突壁３５７の側面３５７Ｂ（図では通路変換部材３５５のもう一つの直径Ｄ２に沿った側面）とが、その延長線上において平面視でＳ２の間隔を存して平行状態である。これによって、突壁３５６の側面３５６Ｂと突壁３５７の側面３５７Ｂとの平行間隔に沿って出口部３５９Ｂが形成されている。図１８と図１９に示す三角形状の突壁３５６、３５７の頂部の角度は、略４０°である形態を示している。
【００７８】
このＳ１、Ｓ２は、遊技メダル２００の厚さよりも若干大きく、その厚さの２倍未満であり、Ｓ１とＳ２が同じ場合と、Ｓ１とＳ２が等しくない場合がある。これは、図示のように、遊技メダル２００が進入部３５９Ａへ進入するとき、遊技メダル２００の進入方向が、直径Ｄ１に沿って突壁３５６の一方の面３５６Ａと突壁３５７の一方の面３５７Ａに平行である場合にも、遊技メダル２００の進入と出口部３５９Ｂからの送出が妨げられないようにするためである。この場合、遊技メダル２００の厚さ方向に対応する出口部３５９Ｂの幅Ｇ２は、間隔Ｓ２と同等に形成することにより、出口部３５９Ｂにおいて、遊技メダル２００の移動の邪魔となる段部がない状態となり、好ましい。
【００７９】
一対の三角形状の突壁３５６、３５７で区切られた通路変換部材３５５の内側には、通路変換部材３５５の面に沿って、進入部３５９Ａ側から出口部３５９Ｂに向かって徐々に下降傾斜した作動面３５８Ａ、３５８Ｂが、側面視で相互に交差する向きに形成されている。進入部３５９Ａは、第１案内シュート３５１のメダル通路ＭＤに連通し、出口部３５９Ｂは、第２案内シュート３５３のメダル通路ＭＤに連通している。
【００８０】
この構成によって、第１案内シュート３５１のメダル通路ＭＤを立った状態で転がる遊技メダル２００は、進入部３５９Ａから一対の三角形状の突壁３５６、３５７の頂点間に進入する。この進入方向は、例えば、直径Ｄ１に沿った方向や、直径Ｄ３に沿った方向である。直径Ｄ１に沿って進入した遊技メダル２００は、作動面３５８Ａ、３５８Ｂの頂部付近に衝突するが、直径Ｄ３に沿って進入した遊技メダル２００は、作動面３５８Ａ、３５８Ｂの中間部分に衝突するようになる。図１８と図１９に示すものは、遊技メダル２００が進入部３５９Ａへ進入する向きは、直径Ｄ１に沿った突壁３５６の一方の面３５６Ａと突壁３５７の一方の面３５７Ａに略平行である。このように、第１案内シュート３５１のメダル通路ＭＤが進入部３５９Ａに連通する組み合わせである。
【００８１】
いずれの場合も、進入した遊技メダル２００は、進入した遊技メダル２００は、立った状態で作動面３５８Ａ、３５８Ｂに衝突した後、立った状態のままで一対の三角形状の突壁３５６、３５７の頂点間を中心として、作動面３５８Ａ、３５８Ｂに沿って矢印Ｙ方向へ回転しつつ降下する。この動作によって、遊技メダル２００の向きは、出口部３５９Ｂの真上に変換されるため、出口部３５９Ｂから第２案内シュート３５３のメダル通路ＭＤに立ったままで移動する。このようにして、第１案内シュート３５１のメダル通路ＭＤを立った状態で転がる遊技メダル２００は、通路変換部材３５５内で立った状態で方向転換されて、出口部３５９Ｂから第２案内シュート３５３のメダル通路ＭＤを立ったままで移動することができる。
【００８２】
次に、第２案内シュート３５３が第１案内シュート３５１に対して、上下及び左右に回動可能である構成について説明する。通路変換部材３５５から下方へ延びた支持部３５５Ａに、第２案内シュート３５３の上流側の支持部３５３Ａが軸支持部３７０で上下回動可能に支持されている。この軸支持部３７０にはバネが設けられ、このバネによって第２案内シュート３５３は、一点鎖線のように下方に傾くように付勢された状態である。通路変換部材３５５から下方へ延びた支持部３５５Ａは、第１案内シュート３５１に取り付けた支持板３７１の水平部から上方へ突出した軸３７２によって左右に回動可能に支持されている。これによって、第２案内シュート３５３は、軸支持部３７０で通路変換部材３５５と一体化されるため、第２案内シュート３５３を左右に回動させることによって、支持部３５５Ａと共に通路変換部材３５５がメダル方向転換部３５２の筒部３５４内で左右に回動する。このように、第２案内シュート３５３は、第１案内シュート３５１に対して上下及び左右に回動可能である。
【００８３】
第１案内シュート３５１に対して第２案内シュート３５３を左右方向に回動して、メダル２００が送出される第２案内シュート３５３の先端部が、遊技機１のメダル投入部２５の所定位置になるようにセットする。このため、支持板３７１の水平部には、板状の案内シュート固定基部３６０が取り付けられ、案内シュート固定基部３６０には、上方に開いた溝として、上方へＶ字状に広がった溝３６０Ａが形成されている。第２案内シュート３５３の下側には、溝３６０Ａに嵌合するように溝３６０Ａと略同形状の嵌合部３６１が形成されている。案内シュート固定基部３６０は、支持板３７１を折り曲げにて一体形成することもできる。
【００８４】
この構成において、例えば、前記バネに抗して第２案内シュート３５３の先端部を持って上方に回動させた状態で、第２案内シュート３５３の先端部が遊技機１のメダル投入部２５の上方に位置するように横に回動させる。この状態で、第２案内シュート３５３の持ち上げ力を解除することによって、前記バネ力によって第２案内シュート３５３の先端部が下降し、嵌合部３６１が溝３６０Ａに嵌合して第２案内シュート３５３が保持される。この保持によって、第２案内シュート３５３の先端部は、上方から遊技機１のメダル投入部２５に近接状態で臨む所定の正規位置にセット状態となる。このため、嵌合部３６１と溝３６０Ａの関係は、第２案内シュート３５３の先端部を遊技機１のメダル投入部２５の所定位置にセットするメダル案内シュートの位置決め装置３６５を構成する。
【００８５】
また、遊技機１に貸機２を併設するとき、メダル案内シュート３５０内を点検修理するとき、メダル案内シュート３５０内に詰まった遊技メダル２００を取り除くとき、更にはその他の場合において、上記セット状態から第２案内シュート３５３を外す場合は、上記とは逆に、嵌合部３６１が溝３６０Ａから外れるように、第２案内シュート３５３の先端部を持ち上げ、その状態で、第２案内シュート３５３を貸機２の前方へ回動させることができる。
【００８６】
上記のように、第２案内シュート３５３は、第１案内シュート３５１に対して上下、左右に回動可能であるため、遊技機１と貸機２を併設した設置状態において、第２案内シュート３５３を回動して、その先端部３５３Ａが上方から遊技機１のメダル投入部２５に近接する位置へ臨むようにセットされる。このセット状態において、案内シュート３５０から供給される遊技メダル２００を遊技機１のメダル投入部２５へ的確に導入できることとなる。そして、遊技機１や貸機２の点検や修理等に際しては、案内シュート３５０の先端部３５３Ａがメダル投入部２５から離れるように、第２案内シュート３５３を貸機２の前面側へ回動することにより、その点検や修理等の作業がし易くなるものである。なお、第１案内シュート３５１の基部が、リフト装置３０３の上端部に対して上下と左右に回動可能に構成しても、同様の効果を奏する。
【００８７】
メダル案内シュート３５０を透明な合成樹脂製とすることにより、内部を通過する遊技メダル２００の状況を把握でき、点検や修理がし易くなる。接続部３５２は比較的短いため不透明でもよいが、比較的長い第２案内シュート３５３を透明にすることによって、遊技者がメダルの供給状態を把握でき、遊技者に安心感を与える意味で有効である。
【００８８】
メダル方向転換部３５２は、上面の進入部３５９Ａが開放可能に合成樹脂製の開閉カバー６００で覆われている。開閉カバー６００は、第１案内シュート３５１のメダル通路ＭＤと連通するメダル通路を備えており、開閉カバー６００を開くことに、メダル方向転換部３５２に詰まったメダル２００の取り除きや、メダル方向転換部３５２内の清掃が可能となる。
【００８９】
メダル方向転換部３５２と第２案内シュート３５３との連結部は、外観デザインと安全性など保護のために、第２案内シュート３５３と共に回動する円弧状のカバー６０８Ａで覆われている。また、第１案内シュート３５１に取付けた支持板３７１と、軸支持部３７０と、軸３７２の後側と右側面側は、後壁と右側壁を有するカバー６０８Ｂによって覆われている。カバー６０８Ｂは支持板３７１に取付けられている。カバー６０８Ｂの右側壁部分は、カバー６０８Ａの内側に沿った円弧状をなしており、第２案内シュート３５３を貸機２の前面側へ回動させた状態では、カバー６０８Ａの内側に隠れる状態となる。そして、第２案内シュート３５３の先端部３５３Ａが、遊技機１のメダル投入部２５に対する正規位置にセットされた状態で、カバー６０８Ａとカバー６０８Ｂが共同して、支持板３７１と、軸支持部３７０と、軸３７２の前側、右側面側及び後側を覆い、左側面側に第２案内シュート３５３が延びた状態である。
【００９０】
また、第１案内シュート３５１と開閉カバー６００は、第１案内シュート３５１の左右側壁下端部に弾性係止する爪６０９Ａを備えた着脱自在なカバー６０９によって覆われている。第１案内シュート３５１のメダル通路ＭＤの側壁は、遊技メダル２００の直径よりも低く半径よりも高い位置にあって、メダル通路ＭＤは上面が開放している。このため、カバー６０９によって、メダル通路ＭＤの上方が覆われており、万一の場合に、遊技メダル２００がメダル通路ＭＤを飛び出さない状態に保つ位置にある。そして、カバー６０９を取り外すことによって、第１案内シュート３５１のメダル通路ＭＤの上面が開放されるため、メダル通路ＭＤに詰まったメダルの取り除きや、メダル通路ＭＤの点検等がし易くなる。
【００９１】
第２案内シュート３５３のメダル通路ＭＤは、このメダル通路ＭＤを転動する遊技メダル２００の上部が外部から透視可能なように、上部が透明な資材で構成された透視部３５３Ｂで覆われている。これによって、遊技者は、この透視部３５３Ｂを遊技メダル２００が通過することを確認することにより、メダル移送装置３００が稼動していることを確認でき、安心できるものとなる。
【００９２】
また、送出装置３０２には、送出作動体３２２の回動した位置を検出する検出部３２５がベース板３１５に設けられ、メダル２００の払い出しごとにこの検出部３２５が動作する。この検出部３２５は、送出作動体３２２によってＯＮ・ＯＦＦする接点を有するスイッチ、送出作動体３２２に設けた磁石によってＯＮ・ＯＦＦ作動する無接点式の近接スイッチ、又は発光部と受光部を有する光センサのような無接触式のセンサであってもよい。実施例では、送出作動体３２２がメダル２００の送出に伴って回動して、送出作動体３２２の後端が発光部から受光部への光通路を遮ることによりメダル２００の送出を検知する光センサで構成している。
【００９３】
上記のように、電動機３３１をＯＮしてメダル収容部３０１内のメダル２００をリフト装置３０３によって、遊技機１のメダル投入部２５へ向けて搬送する。送出装置３０２から送出されるメダル２００の枚数が、この検知部３２５によって検出され、前記電装部３０の制御部の電気回路に備えたカウンタ部によってカウントされる。そして、このカウンタ部のカウント枚数が所定の上限枚数、例えば５０枚に達したとき、電動機３３１をＯＦＦしてメダル２００の搬送を停止する。そして、遊技者が遊技操作（スタートレバー１Ａとストップボタン１Ｂを操作する行為）をする度に使用されるメダル数がこのカウンタ部から減算される。このカウンタ部の現在のカウント枚数は、その都度、遊技機１の前面に設けた表示部に表示される。遊技者がメダル２００を使用して遊技機１のスタートレバー１Ａを操作することにより、このカウント枚数が減少して、遊技機１の前面に設けた表示部の表示が５０から減少する。このカウント枚数が所定の下限枚数、例えば２５枚に減少したとき、上記同様に、前記電装部３０の制御部の動作に基づき、電動機３３１をＯＮしてメダル収容部３０１内のメダル２００をリフト装置３０３によって、遊技機１のメダル受け入れ部２５へ向けて搬送する。この搬送によって前記カウンタ部のカウント枚数が所定の上限枚数、例えば５０枚に達したとき、電動機３３１をＯＦＦしてメダル２００の搬送を停止する。このような動作が遊技操作の継続によって繰り返される。
【００９４】
検出部３２５の信号を前記電装部３０の制御部に入力し、この検出部３２５が検出したときから所定時間、例えば６秒経過しても次のメダル２００が検出部３２５で検出されない場合は、メダル２００切れと判断して、送出装置３０２の電動機３３１の運転を停止するようにＯＦＦする構成である。前記所定時間、例えば６秒は、送出装置３０２から払い出された最後のメダル２００が、リフト装置３０３の搬送によって遊技機１のメダル受け入れ部２５へ導入されることを確保する時間である。
【００９５】
上記によって前記所定時間（６秒）が経過したとき電動機３３１がＯＦＦするが、遊技者による遊技操作によってメダルが使われ、前記カウント部のカウントン枚数が遊技不可能なゼロになると、前記制御部によって遊技ができない状態となり、その表示が表示器１７に表示される。このような前記カウント部のカウントン枚数がゼロになった場合には、新たに紙幣等の薄片１００を挿入口１２へ挿入することにより、その価値に見合う枚数のメダル２００が、メダル払い出し装置２１から払い出されて、メダル収容部３０１へ供給され、上記同様にしてリフト装置３０３によって遊技機１のメダル投入部２５へ搬送されるため、上記同様に次の遊技操作が可能となる。
【００９６】
遊技機１から払い出される入賞時のメダル２００は、遊技機１の前面のメダル受け皿１Ｄに払い出されるため、このメダルを使用して継続して遊技することができる。この場合は、遊技者は、メダル受け皿１Ｄ内の遊技メダル２００を取り出して、前面受け入れ部３０５Ａからメダル収容部３０１へ挿入した後、このメダル２００を使って遊技することができる。このために、上記のように遊技開始用の手動スイッチ装置３０６が貸機２の前面側に設けられている。この手動スイッチ３０６のＯＮによって送出装置３０２の電動機３３１とリフト装置３０３の螺旋体３４０が同期回転して、前述同様に、メダル収容部３０１内のメダル２００が導入装置３０４によって、遊技メダル２００を立った状態に転換してリフト装置３０３の下部の入口部３０３Ａへ導入され、リフト装置３０３によって上方へ搬送されて、リフト装置３０３の上端部からメダル案内シュート３５０を通して遊技機１のメダル投入部２５へ導入される。これによって、次の遊技操作が可能となる。
【００９７】
上記のように、遊技者が遊技機１で遊技する場合、遊技メダル貸機２の薄片挿入口１１へ、例えば１０００円紙幣を挿入すると、それを薄片識別装置１０で識別し、その１０００円紙幣が真正紙幣である場合は、それに見合う数、例えば５０枚の円盤状のメダル２００を制御部の動作に基づき払い出すように遊技メダル供給部２０が動作する。遊技メダル供給部２０から払い出されたメダル２００は、メダル収容部３０１に入り、この収容部３０１の底部に設けられた送出装置３０２から１枚ずつ排出され、それが導入装置３０４及びリフト装置３０３によって上方へ搬送されて、メダル案内シュート３５０を通って遊技機１のメダル投入部２５へ導入（投入）される。
【００９８】
このメダル投入部２５へのメダル２００の導入によって、遊技機１がパチスロ機の場合は、メダル投入口２５に遊技に必要な最低１枚のメダル２００が投入された状態において、スタートレバー１Ａを操作することにより、３個のリール１Ｃが回転する。この状態でタイミングを見て３個のストップボタン１Ｂを押すことにより、リール１Ｃが順次停止し、表面に表示された各リール１Ｃの図柄や数字の組み合わせに応じて入賞メダルが、払い出し口からメダル受け皿１Ｄに払い出され、このメダルをメダル収容部３０１へ移し替えることにより、リフト装置３０３によって自動的に遊技機１のメダル投入口へ導入することができる。
【００９９】
メダル投入部２５へ投入されたメダル２００は、遊技メダル貸機２のメダル払い出し部２０に設けたメダル収納部２２へ導入されるように構成してもよい。また、一旦各遊技機１から回収して遊技場の一部に設けた集合部に集め、各遊技メダル貸機２のメダル収納部２２内にはメダル数の不足状態を検知スイッチで検知するようにし、この検知スイッチがメダルの不足状態を検知したとき、その不足したメダル収納部２２内に前記集合部からメダルを補充するように構成してもよい。
【０１００】
メダル収容部３０１の組み立て及び分解のし易さと、メダル収容部３０１の底部に配置した送出装置３０２の払い出し盤３０２Ａ部分の点検や修理等のし易さのために、保持装置３８０によってメダル収容部３０１は取外し自在である。メダル収容部３０１は、第１容器部３０１Ａがベース板３１５の上面に形成した円形状の突壁３１６の内側に嵌合した状態で、ベース板３１５上に保持装置３７０によって保持される。その構成は、メダル収容部３０１がベース板３１５の所定位置に組み立てられた状態では、リフト装置３０３の側面に取り付けた合成樹脂製の弾性係止片３８１の係止孔３８１Ｂに、メダル収容部３０１の側面に設けた係止突部３８２が嵌り込んで係止され、メダル収容部３０１がリフト装置３０３の所定の正規位置に保持されている。
【０１０１】
メダル収容部３０１をリフト装置３０３から取り外す場合は、弾性係止片３８１のレバー３８１Ａを押し圧して、弾性係止片３８１と係止突部３８２との係合を外した状態で、メダル収容部３０１を第１容器部３０１Ａと前面受け入れ部３０５（第２容器部３０１Ｂ）と共に、円形状の突壁３１６の周りに回転させ（図２で時計方向へ回転）、この状態でメダル収容部３０１は、第１容器部３０１Ａと第２容器部３０１Ｂと共に円形状の突壁３１６から上方へ取り外すことができる。この取外しによって、図７のように送出装置３０２の払い出し盤３０２Ａ部分が露出する状態となる。
【０１０２】
貸機２のメダル移送装置３００によって移送されるメダル２００が、貸機２の前方へ延びたメダル案内シュート（又はメダル案内樋という）３５０によって遊技機１のメダル投入口２５へ導入される。このため、案内シュート（又はメダル案内樋という）３５０の先端と遊技機１のメダル投入口２５とを整合させるために、貸機２は、遊技機１よりも若干後方位置にある。そして、遊技機１のメダル受け皿１Ｄに払い出された入賞メダル２００を貸機２の前面受け入れ部３０５へ移し替え易いようにするために、前面受け入れ部３０５は、遊技機１のメダル受け皿１Ｄと近接配置されている。なお、前面受け入れ部３０５とメダル受け皿１Ｄが、略同一平面上に配置され、更にこの両者が横並びであれば、メダル受け皿１Ｄに払い出された入賞メダル２００を貸機２の前面受け入れ部３０５へ移し替え易い状態となる。
【０１０３】
上記の実施例では、遊技メダル貸機２の薄片挿入口１１へ、例えば１０００円紙幣を挿入すると、それを薄片識別装置１０で識別し、その１０００円紙幣が真正紙幣である場合は、それに見合う規定数、例えば５０枚の円盤状のメダル２００を制御部の動作に基づき払い出すように遊技メダル供給部２０が動作する。遊技メダル供給部２０から払い出されたメダル２００は、メダル収容部３０１に入る。メダル移送装置３００の駆動部は、電装部３０の制御部の動作によって、遊技メダル供給部２０の動作と共にＯＮ（運転し）するため、メダル払い出し装置２１から払い出されてメダル収容部３０１に入るメダル２００は、メダル移送装置３００の駆動によって、遊技機１のメダル投入口２５へ搬送される。
【０１０４】
また、遊技機１のメダル受け皿１Ｄに払い出される入賞メダルを、前面受け入れ部３０５からメダル収容部３０１へ挿入（投入）した後、手動スイッチ装置３０６をＯＮさせることにより、メダル移送装置３００が始動して、メダル収容部３０１内のメダル２００が遊技機１のメダル投入口２５へ搬送される。そして、送出装置３０２から最後のメダル２００が送出されて所定時間（上記では６秒）経過後に、送出装置３０２を含むメダル移送装置３００の動作を停止する仕組みである。
【０１０５】
本発明では、上記のように、第２案内シュート３５３の先端が遊技機１のメダル投入口２５に対する所定位置を保持するように、第１案内シュート３５１とリフト装置３０３の収納筒３４３が強固に組み合わされ、第１案内シュート３５１の基部の取付け部５０１Ｄが、貸機２内の固定部にネジにて固定され、且つ、リフト装置３０３の収納筒３４３の適数箇所に設けた取付け部３４３Ｄが、貸機２内の固定部にネジにて固定されている。なお、必要に応じて、メダル移送装置３００の下部のベース板３１５をネジにて貸機２に固定してもよい。これらの取付け部３４３Ｄ、５０１Ｄのネジを緩めることによって、メダル移送装置３００が貸機２から取り外し可能である。
【０１０６】
メダル移送装置３００の電動機装置３３０の電動機３３１への電力の供給は、貸機２内下部の後部に水平方向に設けた貸機側端子（コネクタ）９２１と、メダル移送装置３００の下部の後部に水平方向に設けたメダル移送装置側端子（コネクタ）９２０との接続によって達成される。メダル移送装置側端子９２０は、ベース板３１５の後面に後方へ略水平に突出した状態で取り付けられている。また、貸機側端子９２１は、貸機２内下部の後部に設けた端子取付け部材９２２の前面に上下左右に若干可動（フローティング）できるように取り付けられている。このため、貸機側端子９２１は、フローティングコネクタと称される。
【０１０７】
上記では、遊技メダル供給部２０とメダル移送装置３００等の制御は、電装部３０の制御部で行っているが、この制御部は、貸機２やその他の箇所に設けた制御部で行ってもよい。
【産業上の利用可能性】
【０１０８】
本発明は、上記実施形態に限定されず、メダルが通る湾曲通路であれば、本発明の技術的範囲を逸脱しない限り種々の変更が考えられ、それに係る種種の実施形態を包含するものである。
【図面の簡単な説明】
【０１０９】
【図１】本発明に係る遊技メダル貸機と遊技機の併設状態を示す正面図である。（実施例１）
【図２】本発明に係るメダル移送装置が遊技メダル貸機に組み込まれた状態を説明する正面斜視図である。（実施例１）
【図３】両島タイプの遊技装置における搬送装置の配置平面図である。（実施例１）
【図４】搬送ユニットを接続した状態の正面図である。（実施例１）
【図５】本発明に係るメダル移送装置の構造を示す縦断側面図である。（実施例１）
【図６】本発明に係るメダル移送装置と遊技機との関係を示す側面図である。（実施例１）
【図７】本発明に係るメダル移送装置のメダル収容部を取り外した状態の上面斜視図である。（実施例１）
【図８】本発明に係るメダル移送装置のメダル導入装置がメダルを押し上げる前の状態を示す斜視図である。（実施例１）
【図９】本発明に係るメダル移送装置のメダル導入装置がメダルを押し上げ始める状態を示す斜視図である。（実施例１）
【図１０】本発明に係るメダル移送装置のメダル導入装置がメダルを押し上げてリフト装置へ導入した状態を示す斜視図である。（実施例１）
【図１１】本発明に係るメダル移送装置の構成を示す横断平面図である。（実施例１）
【図１２】本発明に係るメダル移送装置のメダルの導入部と導入装置との関係を示す右側面図である。（実施例１）
【図１３】本発明に係るメダル移送装置のメダル送出装置の払い出し盤部分の縦断側面図である。（実施例１）
【図１４】本発明に係るメダル移送装置のメダル収容部に設けたメダル姿勢制御部の縦断面図である。（実施例１）
【図１５】本発明に係るメダル移送装置のメダル収容部に設けたメダル姿勢制御部の上面斜視図である。（実施例１）
【図１６】本発明に係るメダル移送装置の電動機装置の伝達装置の説明図である。（実施例１）
【図１７】本発明に係るメダル移送装置のメダル方向転換部の上面斜視図である。（実施例１）
【図１８】本発明に係るメダル移送装置のメダル方向転換部の上面図である。（実施例１）
【図１９】本発明に係るメダル案内シュート部分の斜視図である。（実施例１）
【図２０】本発明に係るメダル案内シュートの位置決め装置の構成を示す断面図である。（実施例１）
【符号の説明】
【０１１０】
１・・・・遊技機
１Ｄ・・・遊技機のメダル受け皿
２・・・・遊技メダル貸機
３・・・・薄片導入装置
５・・・・搬送装置
１０・・・薄片識別装置
１１・・・薄片挿入口
１６、２３・・・遊技メダル貸機の前面板
１７・・・表示部
２０・・・・遊技メダル供給部
２１・・・・メダル払い出し装置
２２・・・・メダル収納部
２０Ａ・・・払い出し盤
２５・・・・遊技機のメダル挿入（投入）部
３０・・・・電装部
２００・・・メダル
３００・・・メダル移送装置
３０１・・・メダル収容部
３０１Ａ・・第１容器部
３０１Ｂ・・第２容器部
３０２・・・メダル送出装置
３０２Ａ・・払い出し盤
３０３・・・リフト装置
３０４・・・導入装置
３０４Ａ・・作動部材
３０４Ｂ・・回転軸
３０５・・・前面受け入れ部
３０５Ａ・・前面受け入れ口
３０５Ｂ・・傾斜誘導路
３０６・・・手動スイッチ装置
３０６Ａ・・手動スイッチ装置の操作部
３０７・・・表面板
３０７Ｂ・・基板
３１０・・・上面開口
３１５・・・ベース板
３１６・・・円弧状の突壁
３１７・・・回転軸
３１８・・・メダル分離孔
３１８Ａ・・メダル押し出し面
３１８Ｂ・・案内面
３１９・・・メダル攪拌部
３２０・・・送出案内ピン
３２１・・・固定側送出作動体
３２１Ａ・・ローラ
３２２・・・可動側送出作動体
３２２Ａ・・ローラ
３２３・・・軸支持部
３２４・・・バネ
３２５・・・検出部
３２６・・・メダルの送出口
３３０・・・電動機装置
３３１・・・電動機
３３２・・・伝達装置
３３５・・・導入部
３３６・・・湾曲した導入面（湾曲通路）
３３６Ａ・・通路部材
３３７・・・溝
３３８・・・通路カバー
３４０・・・螺旋体
３４１・・・突状螺旋
３４２・・・案内壁
３４３・・・収納筒
３４３Ａ・・収納筒の左右側壁
３４５・・・搬送路
３４５Ａ・・間隔
３５０・・・メダル案内シュート
３５１・・・第１案内シュート
３５２・・・メダル方向転換部
３５３・・・第２案内シュート
３５４・・・筒部
３５５・・・通路変換部材
３５６・・・三角形状の突壁
３５７・・・三角形状の突壁
３５８Ａ・・作動面
３５８Ｂ・・作動面
３５９Ａ・・進入部
３５９Ｂ・・出口部
３６０・・・案内シュート固定基部
３６０Ａ・・Ｖ字状溝
３６１・・・嵌合部
３６５・・・メダル案内シュート位置決め部
３６５Ａ・・検出装置
３７０・・・軸支持部
３７１・・・支持板
３７２・・・軸
８８０・・・メダル飛び出し防止部材
【図１】
2006296474.tif 000003
【図２】
2006296474.tif 000004
【図３】
2006296474.tif 000005
【図４】
2006296474.tif 000006
【図５】
2006296474.tif 000007
【図６】
2006296474.tif 000008
【図７】
2006296474.tif 000009
【図８】
2006296474.tif 000010
【図９】
2006296474.tif 000011
【図１０】
2006296474.tif 000012
【図１１】
2006296474.tif 000013
【図１２】
2006296474.tif 000014
【図１３】
2006296474.tif 000015
【図１４】
2006296474.tif 000016
【図１５】
2006296474.tif 000017
【図１６】
2006296474.tif 000018
【図１７】
2006296474.tif 000019
【図１８】
2006296474.tif 000020
【図１９】
2006296474.tif 000021
【図２０】
2006296474.tif 000022